(57)【要約】【課題】      ショップの棚に商品の挿入ずみケースを並べて陳列した場合、ケースに商品の抜き取りを防止する手段がないため、顧客によってケースから商品を抜き取ることができ、抜き取った商品の店外への持ち出しが可能になって盗難にあう。【解決手段】  周囲の一面に商品Ａの出し入れ用の開口１を有するケースＫにおいて、このケースにショップ側以外による解錠ができないと共に、上記ケース内の商品の係止部２に係合関係になる適宜の錠装置Ｂを設けて、顧客によるケースからの商品抜き取りを防止する。【選択図】    図１
2005075463.tif 000002
【特許請求の範囲】
【請求項１】
周囲の一面に商品の出し入れ用の開口を有するケースにおいて、このケースにショップ側以外による解錠ができないと共に、上記ケース内の商品の係止部に係合関係になる適宜の錠装置を設けたことを特徴とする盗難防止装置。
【請求項２】
上記ケース側にショップ外への持ち出しを防止する盗難防止タグを設けたことを特徴とする請求項１に記載の盗難防止装置。
【発明の詳細な説明】
【技術分野】
【０００１】  この発明は、ケースの周囲一面の開口から挿入してある商品、例えばビデオカセットや、ディスクを収納した収納ケースが抜き取られるのを防止する盗難防止装置に関する。
【背景技術】
【０００２】  レンタルショップの棚には、レンタル商品が並べて陳列してある。【０００３】  勿論、販売のためショップの棚に販売商品が並べて陳列してある。【０００４】  上記の商品としては、周囲の一面開口からケースにビデオカセットを挿入している（例えば、実開平２−９３２８１号公報の図６参照）。【０００５】  また、ビデオカセット以外に、収納ケースにディスクを収納（例えば、特開２０００−１４２８６３号公報の図２４参照）し、周囲一面の開口（挿入口）から展示ケースとしてのケースに収納することもある。【０００６】  ところで、ケースに商品の抜き取り阻止手段がないと、ケースから商品が抜き取られて商品の盗難にあう。【０００７】  そこで、ケースに挿入してある商品（ビデオカセットやディスクの収納ケースなど）の顧客による抜き取りを阻止するものがある（例えば、特許文献１、特許文献２、特許文献３）。【０００８】
【特許文献１】  特開平９−２９０８５６号公報
【０００９】
【特許文献２】  特開２００１−８０６６６号公報
【００１０】
【特許文献３】  特許第３３４２３５０号公報
【発明の開示】
【発明が解決しようとする課題】
【００１１】  ところで、特許文献１の構造のものは、ケースのロック体を押し込むことで、ロック体と一体のロック片が突出して、ケースの挿入口の一部（一端側）を閉鎖し、この閉鎖によりケース内の包装ケースが突出状況下のロック体が邪魔して、包装ケースの抜き取りを阻止するようになっている。【００１２】  このような方式によると、ロック体が挿入口内に露出しているので、工具などを用いてロック体を切断（ひきちぎりもできる）することができ、或いは例えば、ドライバの先をロック体の裏側に突っ込み、そして邪魔にならないよう屈曲することができて、ロックの役目を果たさないことになる。【００１３】  そして、ロック体が包装ケースの外側に突出する掛止関係のため、ケース（挿入口とその反対側辺との間）の幅が包装ケースの幅に対し大幅に大きくなるので、ケースが大型化する問題もあった。【００１４】  特許文献２の構造のものは、開口の一部を閉鎖するように、ケースに嵌装体を嵌装し、嵌装にともない貫孔と掛合爪との係合関係によってケースに対し嵌装体の顧客による取り外しを阻止すると共に、ケースからの商品の抜き取りを嵌装体によって防止するようになっている。【００１５】  このような方式によると、ケースと嵌装体との二部品のため、嵌装前の嵌装体のショップ側による管理に著しく手数がかかる問題があり、また嵌装に際し、嵌装体の向きを一々確認しなければならない。【００１６】  特許文献３の構造のものは、特許文献１と同様にロック機構のプッシュにより開口部の一部を係止部材で閉鎖し、この閉鎖によって容器内のケースの抜き取りを阻止するようになっている。【００１７】  このような方式によると、特許文献１と同様の問題が発生する。【００１８】  そこで、この発明の課題は、上述の不都合を解消する盗難装置を提供することにある。
【課題を解決するための手段】
【００１９】  上記のような課題を解決するために、この発明は周囲の一面に商品の出し入れ用の開口を有するケースにおいて、このケースにショップ側以外による解錠ができないと共に、上記ケース内の商品の係止部に係合関係になる適宜の錠装置を設けた構成を採用する。【００２０】  また、上記ケース側にショップ以外への持ち出しを防止する盗難防止タグを設けることもある。【００２１】  この発明において、ケースの錠装置を操作して、ケースに挿入してある商品の係止部に錠装置を係合関係にし、ケース内の商品の抜き取りを阻止する。【００２２】  また、ケース側のタグによってショップ外へのケースと共に商品の持ち出しを検知する。
【発明の効果】
【００２３】  以上のように、この発明の盗難防止装置によれば、ケースに設けてある錠装置を操作することにより、ケース内の商品の係止部と錠装置とが係合関係になる。【００２４】  このため、顧客によるケース内の商品の抜き取りが阻止されて商品の盗難防止になる。【００２５】  また、ケースに錠装置を設けてあるので、商品の抜き取り防止別部品をケースに取り付けたり、取り外したりする手間をなくすると共に、別部品の管理が不要になり、そして商品の係止部と錠装置との係合関係の部分が外部に露出しないため、係合関係の部分の破壊ができない。【００２６】  また、ケース側のタグによってショップ外への持ち出しを検知することができる。
【発明を実施するための最良の形態】
【００２７】  以下、この発明の形態を図１乃至図７に基づいて説明する。【００２８】  図１は、この発明にかかる盗難を防止する商品Ａと、この商品Ａを収納するケースＫを示す斜視図であり、商品Ａとしては、図示の場合ビデオカセットを示したが、例えば図５に示すように箱体と、この箱体にヒンジを介し開閉自在に設けた蓋体とからなる収納ケースにディスクを収納したものであってもよい。【００２９】  要するに、ケースＫに挿入状況下の盗難を防止しようとする商品であればよい。【００３０】  ケースＫとしては、周囲の一面に商品Ａを出し入れする開口１を有するものが使用される。【００３１】  そして、ケースＫには、ショップ側以外による解錠ができないと共にケースＫ内の商品Ａの係止部２にに係合関係になる適宜の解錠装置Ｂが設けてあります。【００３２】  上記の係止部２としては、に商品Ａがビデオカセットの場合、合成樹脂製カセットケース３の成形の際にできた溝条（図１、図２に示す）を使用し、商品Ａがディスクを収納した収納ケースの場合、合成樹脂製収納ケース４の成形の際できた貫孔（図５に示す）を使用して、別加工によるコストのアップをなくするようにしたが、必ずしも限定されず、例えば、溝条、二条の突条、貫孔、穴（凹部）などを有する係止部２としての別部品を接着剤や熱溶（融）着などの固着手段を介し設けても（図示省略）よい。【００３３】  上記の錠装置Ｂとしては、図示の場合、ケースＫの週囲上辺壁１１に上方に向けて突出する筒状のガイド１２を設けて、このガイド１２内に昇降板１３を嵌装すると共に、ガイド１２に上下方向の長孔１４を昇降板１３に長孔１４に嵌入する突軸１５を設けて、昇降板１３の上下方向の昇降を一定の範囲に規制し、バネ１６によって昇降板１３に上昇方向の復元力を付与し、ガイド１２と昇降板１３とに下方にプッシュした昇降板１３の上昇阻止の係合手段としての一方に弾性による突出力を有する爪片１７を、他方に突出力によって嵌り込んだ爪片１７が係合関係になる係合部１８（図示の場合透孔を設けた）を設ける。【００３４】  そして、昇降板１３から下方に突出する錠杆１９を上辺壁１１の透孔２０に挿入しておく。【００３５】  すると、昇降板１３の下方へのプッシュにともない商品Ａの係止部２に錠杆１９の突出方向端が係合関係（図２に示すように）になって、この係合関係によりケースＫに収納（挿入による）してある商品Ａの抜き取りが阻止される。【００３６】  このとき、係合部１８に爪片１７が係合関係（図４に示すように）にあるため、昇降板１３の上昇（復元）が阻止され、この阻止によって係止部２と錠杆１９との係合関係の維持が行われる。【００３７】  上記係合関係のショップ側による解除は、図６に示すように解除具３１の突起３２を係合部１８（透孔）に嵌入して押し込むと、突起３２の突出方向面によって係合部１８から爪片１７を脱出させる。【００３８】  すると、係合部１８と爪片１７との係合関係が解除され、解除にともないバネ１６により昇降板１３と共に錠杆１９を上昇復帰させて、係止部２に対する錠杆１９の係合が（図７に示すように）なくなる。【００３９】  このため、ケースＫから商品Ａを抜き取ることができる。【００４０】  上記の錠装置Ｂ��、図示の構成に限定されない。【００４１】  当然、錠装置Ｂは、図示の構成に限定されず、係合手段として、特開平９−２８８７７８号の構成や、特開平１０−２５０７３９号や、特開平７−１３７７７９号の構成や、磁石により鉄片を磁吸して解除する構成などが採用でき、要するに、ショップ側以外、すなわち顧客によって係合関係が解除できないものであればよい。【００４２】  要するにショップ側の操作によって錠装置ＢによりケースＫから商品Ａの抜き取りが阻止されるようになっている。【００４３】  また、ケースＫ側（ケース以外に錠装置Ｂ内に）ショップ側への持ち出しを防止する盗難防止タグＣを設けておく。【００４４】  上記のタグＣは、周知（特願平１１−３３８３５３号）のように、固有のＩＤコードをもち、ショップの出入口通過の際、出入口に設置の高周波電磁界の発生により共振回路が共振して固有のＩＤコードの発信にともない高周波電磁界を変調させるもので、店外の持ち出しを検出する。
【図面の簡単な説明】
【００４５】
【図１】    この発明ケースと商品を示す斜視図
【図２】    ケースの錠装置を示す一部切欠拡大側面部
【図３】    同一部切欠平面図
【図４】    同上の縦断正面図
【図５】    商品の他の例を示す一部切欠側面図
【図６】    錠装置の解除を示す縦断側面
【図７】    解除を示す一部切欠側面図
【符号の説明】
【００４６】  Ｋ      ケース
Ａ      商品
Ｂ      錠装置
１      開口
２      係止部
３      カセットケース
４      収納ケース
１１    上辺壁
１２    ガイド
１３    昇降板
１４    長孔
１５    突軸
１６    バネ
１７    爪片
１８    係合部
１９    錠杆
２０    透孔
【図１】
2005075463.tif 000003
【図２】
2005075463.tif 000004
【図３】
2005075463.tif 000005
【図４】
2005075463.tif 000006
【図５】
2005075463.tif 000007
【図６】
2005075463.tif 000008
【図７】
2005075463.tif 000009